(57)【要約】【課題】方立や無目を傷つけることなく構造物に壁面緑化ユニットを容易に取り付けることができる。【解決手段】植物が植栽される固化培土（植栽基盤）３と、植栽基盤３を保持する固化培土保持部（植栽基盤保持部）４と、を備える壁面緑化ユニット２がカーテンウォール構法の構造物２１の壁面に沿って設置される。カーテンウォールにおける構造物２１の水平方向に隣り合う方立２２、２２および方立２２、２２間に位置し鉛直方向に隣り合う無目２３、２３で囲まれた領域には、周縁部が方立２２、２２および無目２３、２３に形成されたガラス溝２２ａ、２３ａに嵌めこまれたパネル材８が設けられている。保持する固化培土保持部４は、パネル材８に着脱可能に取り付けられている【選択図】図１
2012005409.tif 000002
【特許請求の範囲】
【請求項１】
植物が植栽される植栽基盤と、該植栽基盤を保持する植栽基盤保持部と、を備える壁面緑化ユニットがカーテンウォール構法の構造物の壁面に沿って設置される壁面緑化構造であって、
前記カーテンウォールにおける水平方向に隣り合う方立および該方立間に位置し鉛直方向に隣り合う無目で囲まれた領域には、周縁部が前記方立および前記無目に形成されたガラス溝に嵌めこまれたパネル材が設けられ、
前記植栽基板保持部は、前記パネル材に着脱可能に取り付けられていることを特徴とする壁面緑化構造。
【請求項２】
前記パネル材には、前記植栽基盤保持部を固定する第１固定具が設けられていて、前記第１固定具は、近接する前記方立または前記無目との間隔が５〜１５ｃｍであることを特徴とする請求項１に記載の壁面緑化構造。
【請求項３】
前記第１固定具にボルトが溶接され、前記植栽基盤保持部は前記ボルトが挿通されるボルト孔が形成された第２固定具を備えることを特徴とする請求項２に記載の壁面緑化構造。
【請求項４】
前記壁面緑化ユニットには、前記植栽基盤保持部に対して着脱可能なメッシュが前記植栽基盤の他方の面に沿って配されていることを特徴とする請求項１乃至３のいずれか１項に記載の壁面緑化構造。
【請求項５】
前記植栽基盤保持部は、前記植栽基盤の一方の面に沿って設けられた板部材と、該板部材から前記植栽基盤側に突出し該植栽基盤を保持可能な複数の突起部と、を備えることを特徴とする請求項１乃至４のいずれか１項に記載の壁面緑化構造。
【請求項６】
植物が植栽される植栽基盤と、該植栽基盤を保持する植栽基盤保持部と、を備える壁面緑化ユニットがカーテンウォール構法の構造物の壁面に沿って設置される壁面緑化構造の施工方法であって、
前記カーテンウォールにおける水平方向に隣り合う方立および該方立間に位置し鉛直方向に隣り合う無目で囲まれた領域に、前記方立および前記無目に形成されたガラス溝に周縁部を嵌めこむようにパネル材を設置する工程と、
前記パネル材に前記植栽基板保持部を取り付ける工程と、を備えることを特徴とする壁面緑化構造の施工方法。
【発明の詳細な説明】
【技術分野】
【０００１】
本発明は、カーテンウォール構法の構造物の壁面緑化構造および壁面緑化構造の施工方法に関する。
【背景技術】
【０００２】
近年、都市部におけるヒートアイランド現象の緩和や大気の浄化、アメニティ空間の創出などを目的に、建物の壁面など様々な場所において緑化が行われている。そして、近年では、植物を植栽する植栽基盤を枠体で保持した壁面緑化ユニットを建物の壁面に取り付ける壁面緑化構造が提案されている（例えば、特許文献１乃至４参照）。このような緑化ユニットを使用することによって、短工期で壁面緑化を実現することができる。
【先行技術文献】
【特許文献】
【０００３】
【特許文献１】特開２００１−１６９６５８号公報
【特許文献２】特開２００２−９７６５３号公報
【特許文献３】特開２００２−３３５７６５号公報
【特許文献４】特開２００７−２２２０１５号公報
【発明の概要】
【発明が解決しようとする課題】
【０００４】
しかしながら、従来の壁面緑化構造では、壁面緑化ユニットが、ボルト・ナットやピンなどで建物の壁面に固定されているため、壁面にボルトを挿通させる孔をあけたり、ピンを打ち込んだりする必要がある。
また、建物の外壁をカーテンウォールで構成したカーテンウォール構法の場合には、主要部材である方立や無目にボルトを挿通させる孔をあけたり、ピンを打ち込んだりする必要があるため、方立や無目の強度が低下する虞がある。また、方立や無目に形成された孔から建物内部に雨水などが浸入する虞もある。
なお、カーテンウォールの無目カバーや方立カバーを工夫して、ボルトなどを予め組み込むことも可能であるが、カーテンウォールの種類ごとに型を製作しなくてはならない。
さらに、従来の壁面緑化構造では、壁面緑化ユニットの構造物への設置や取り外しが困難であり、設置作業や交換作業、メンテナンスが行いにくいという問題がある。
【０００５】
本発明は、上述する事情に鑑みてなされたもので、どのような断面形状のカーテンウォールであっても、方立や無目を傷つけることなく、また、新たな型を製作することなく構造物に壁面緑化ユニットを容易に取り付けることができる壁面緑化構造および壁面緑化構造の施工方法を提供することを目的とする。
【課題を解決するための手段】
【０００６】
上記目的を達成するため、本発明に係る壁面緑化構造は、植物が植栽される植栽基盤と、該植栽基盤を保持する植栽基盤保持部と、を備える壁面緑化ユニットがカーテンウォール構法の構造物の壁面に沿って設置される壁面緑化構造であって、前記カーテンウォールにおける前記構造物の水平方向に隣り合う方立および該方立間に位置し鉛直方向に隣り合う無目で囲まれた領域には、周縁部が前記方立および前記無目に形成されたガラス溝に嵌めこまれたパネル材が設けられ、前記植栽基板保持部は、前記パネル材に着脱可能に取り付けられていることを特徴とする。
【０００７】
本発明では、壁面緑化ユニットの植栽基盤保持部が、構造物の方立および無目に形成されたガラス溝に嵌めこまれたパネル材に取り付けられるように構成されている。これにより、壁面緑化ユニットを構造物に取り付けるために、構造物の方立や無目にボルトを挿通させる孔などを形成する必要がないため、方立や無目を傷つけずに壁面緑化ユニットを構造物に設置することができる。
また、壁面緑化ユニットは、植栽基盤保持部が構造物に設置されたパネル材に対して着脱可能であるため、構造物の方立や無目に固定される従来の壁面緑化ユニットと比べて、壁面緑化ユニットの設置や取り外しを容易に行うことができる。
また、パネル材は、周縁部を構造物の方立および無目のガラス溝にはめ込んで設置されるため、構造物に容易に設置できると共に、方立や無目を傷つけずにパネル材を構造物に設置することができる。
また、パネル材は既設の構造物の方立および無目のガラス溝にも容易に嵌め込むことができるため、既設の構造物に対しても壁面緑化を容易に行うことができる。
【０００８】
また、本発明に係る壁面緑化構造では、前記パネル材には、前記植栽基盤保持部を固定する固定具が設けられていて、前記固定具は、近接する前記方立または前記無目との間隔が５〜１５ｃｍであることを特徴とする。
本発明では、固定具は、近接する前記方立または前記無目との間隔が５〜１５ｃｍであることにより、構造物の外側から、壁面緑化ユニットをパネル材に容易に着脱することができる。
【０００９】
また、本発明に係る壁面緑化構造では、前記第１固定具にボルトが溶接され、前記植栽基盤保持部は前記ボルトが挿通されるボルト孔が形成された第２固定具を備えることが好ましい。
本発明では、第１固定具のボルトが第２固定具の孔部に挿通され、ナットで締結されることで植栽基盤保持部をパネル材に容易に固定することができる。
【００１０】
また、本発明に係る壁面緑化構造では、前記壁面緑化ユニットには、前記植栽基盤保持部に対して着脱可能なメッシュが前記植栽基盤の他方の面に沿って配されていることが好ましい。
本発明では、壁面緑化ユニットには、植栽基盤保持部に対して着脱可能なメッシュが植栽基盤の他方の面に沿って配されていることにより、植栽基盤が変形または移動してしまうことを防ぐことができる。また、メッシュの間隙部から植栽基盤に植物を植栽することができる。
【００１１】
また、本発明に係る壁面緑化構造では、前記植栽基盤保持部は、前記植栽基盤の一方の面に沿って設けられた板部材と、該板部材から前記植栽基盤側に突出し該植栽基盤を保持可能な複数の突起部と、を備えることが好ましい。
本発明では、植栽基盤保持部は、植栽基盤の一方の面に沿って設けられた板部材と、板部材から植栽基盤側に突出し植栽基盤を保持可能な複数の突起部と、を備えることにより、突起部が植栽基盤に突き刺さって植栽基盤保持部に植栽基盤を確実に保持させることができる。特に、植栽基盤のサイズが大きい場合や、植栽基盤が水分を多く含んで重量が重くなった場合に、植栽基盤が自重により変形または移動してしまうのを防ぐことができる。
【００１２】
また、本発明に係る壁面緑化構造の施工方法は、植物が植栽される植栽基盤と、該植栽基盤を保持する植栽基盤保持部と、を備える壁面緑化ユニットがカーテンウォール構法の構造物の壁面に沿って設置される壁面緑化構造の施工方法であって、前記カーテンウォールにおける水平方向に隣り合う方立および該方立間に位置し鉛直方向に隣り合う無目で囲まれた領域に、前記方立および前記無目に形成されたガラス溝に周縁部を嵌めこむようにパネル材を設置する工程と、前記パネル材に前記植栽基板保持部を取り付ける工程と、を備えることを特徴とする。
【００１３】
本発明では、壁面緑化ユニットの植栽基盤保持部を、構造物の方立および無目に形成されたガラス溝に嵌めこまれたパネル材に取り付けている。これにより、壁面緑化ユニットを構造物に取り付けるために、構造物の方立や無目にボルトを挿通させる孔などを形成する必要がないため、方立や無目を傷つけずに壁面緑化ユニットを構造物に設置することができる。
また、パネル材を方立および無目のガラス溝にはめ込むことで構造物に設置するため、パネル材を容易に設置できると共に、方立や無目を傷つけることがない。
また、パネル材は既設の構造物の方立および無目のガラス溝にも容易に嵌め込むことができるため、既設の構造物に対しても壁面緑化を容易に行うことができる。
【発明の効果】
【００１４】
本発明によれば、方立や無目を傷つけずにパネル材および壁面緑化ユニットを構造物に設置することができることにより、構造物の強度低下を防止することができると共に、壁面緑化ユニットのパネル材への設置および取り外しが容易であることにより、施工性やメンテナンス性を向上させることができる。
【図面の簡単な説明】
【００１５】
【図１】（ａ）は本発明の実施の形態による壁面緑化構造の一例を示す図、（ｂ）は（ａ）のＡ−Ａ線断面図である。
【図２】壁面緑化ユニットおよびパネル材を示す分解斜視図である。
【図３】（ａ）、（ｂ）は壁面緑化ユニットの施工工程を説明する図である。
【図４】（ａ）、（ｂ）は図３に続く壁面緑化ユニットの施工工程を説明する図である。
【発明を実施するための形態】
【００１６】
以下、本発明の実施の形態による壁面緑化構造について、図１乃至図４に基づいて説明する。
図１（ａ）、（ｂ）に示すように、本実施の形態による壁面緑化構造１では、板状に形成されて図示しない植物が植栽される固化培土（植栽基盤）３と、固化培土３の一方の面３ａに沿って設けられて固化培土３を保持する固化培土保持部（植栽基盤保持部）４と、固化培土３の他方の面３ｂに沿って設けられたメッシュ５と、固化培土３に水を供給する潅水チューブ（潅水手段）６と、固化培土３からの排水を収集する排水受け（排水手段）７とから概略構成される壁面緑化ユニット２が、カーテンウォール構法の構造物２１の外壁に設置されている。
【００１７】
カーテンウォール構法の構造物２１は、外壁部分に鉛直方向に延在する方立２２と、水平方向に延在する無目２３とが配設され、水平方向に隣り合う方立２２，２２とこの方立２２、２２間に配設された鉛直方向に隣り合う無目２３，２３との内方にガラスやパネルが設置されている。
本実施の形態の壁面緑化ユニット２は、このガラスやパネルに代わって設置されたパネル材８に着脱可能に取り付けられている。
【００１８】
パネル材８は、正面視矩形の板状部材であり、その周縁部が四方に位置する方立２２，２２および無目２３，２３に形成されたガラス溝２２ａ，２３ａに嵌め込まれている。
ガラス溝２２ａ，２３ａは、方立２２および無目２３の延在方向に延び、カーテンウォール構法の構造物において外壁面のガラスやパネルが嵌め込まれる公知の溝部である。
図１および図２に示すように、パネル材８には、ガラス溝２２ａ，２２ｂに嵌め込まれたときに外側となる面８ａに、壁面緑化ユニット２を固定するためのパネル材側固定金具（第１固定具）９が、例えば四隅の近傍に４箇所取り付けられている。
【００１９】
このとき、図３に示すように、パネル材側固定金具９は、パネル材８が方立２２，２２および無目２３，２３間に設置された際に、近接する方立２２および無目２３との間隔ｄが、５〜１５ｃｍ程とされることが好ましい。中でも、この間隔を１０ｃｍ程とすることが好ましい。このような寸法にすることにより、構造物２１の外側から、壁面緑化ユニット２をパネル材８に容易に着脱することができる。
【００２０】
固化培土３は、例えば、無機質発泡体などの軽量土に熱融着性繊維を配合させて熱処理により固化してなる培土基盤で構成されている。無機質発泡体の例として、パーライトが挙げられる。固化培土３には、上部側が下部側に比べて保水性の高い材料が使用されることが好ましい。
このように、固化培土３を植栽基盤とすることにより、壁面緑化ユニットの軽量化２を図ることができて、構造物２１への荷重負担を軽減することができると共に、壁面緑化ユニット２の設置や取り外しを容易にすることができる。
なお、本実施形態では、固化培土３を植栽基盤としているが、固化培土３に代わって、不織布マットやスポンジ状のマットなどを植栽基盤としてもよい。また、植栽基盤は、その形状を保持可能で、飛散しにくく、垂直面への植栽が可能であれば、その他のものとしてもよい。
【００２１】
固化培土保持部４は、金属や硬質樹脂などで形成された板部材１１と、板部材１１の一方の面１１ａから突出する先端が尖った複数の突起部１２と、板部材１１の他方の面１１ｂに設置された固化培土保持部側固定金具（第２固定具）１３と、を備えている。
板部材１１の一方の面１１ａが固化培土３と当接したときに、複数の突起部１２は、固化培土３に突き刺さった状態となり、固化培土３を保持できるように構成されている。複数の突起部１２は、板部材１１の一方の面１１ａに均等に配されている。
複数の突起部１２が固化培土３に突き刺さることで、固化培土３は固化培土保持部４に保持されるため、固化培土３の寸法が大きい場合や、固化培土３が水分を含んで重量がある場合でも、固化培土保持部４は、固化培土３が変形または移動してしまうことを防止し、固化培土３を保持することができる。
【００２２】
このとき、複数の突起部１２は、全て同じ向きに突出していてもよく、また、固化培土３に対して垂直方向や斜め方向など異なる向きに突出したものが混在していてもよい。
複数の突起部１２に異なる向きの突起部１２が混在することで、固化培土保持部４は、固化培土３の保持力をさらに向上させることができる。
【００２３】
固化培土保持部側固定金具１３は、パネル材８のパネル材側固定金具９と着脱可能に構成された部材である。
本実施の形態では、図１（ｂ）に示すように、パネル材側固定金具９および固化培土保持部側固定金具１３は、両方とも断面形状がＬ型の金物で、Ｌ型を構成する２片のうち一方の片９ａ，１３ａがパネル材８または固化培土保持部４に固定され、他方の片９ｂ、１３ｂがパネル材８の面８ａまたは固化培土保持部４の板部材１１の他方の面１１ｂから略垂直方向に突出している。
そして、他方の片９ｂ，１３ｂにはボルト（不図示）が挿通する孔部（不図示）が形成され、パネル材側固定金具９の他方の片９ｂおよび固化培土保持部側固定金具１３の他方の片１３ｂが重ねられて、パネル材側固定金具９および固化培土保持部側固定金具１３の孔部にボルトが挿通され、ナット（不図示）で締結されている。
また、パネル材側固定金具９の他方の９ｂに予めボルトを溶接しておき、このボルトを固化培土保持部側固定金具１３の他方の辺１３ｂに形成された孔部に挿通させて、ナットで締結することで、壁面緑化ユニット２をパネル材８に容易に固定できるようにしてもよい。
【００２４】
なお、パネル材側固定金具９および固化培土保持部側固定金具１３は、上記の構成以外のものでもよく、例えば、固化培土保持部側固定金具１３をフックとし、パネル材側固定金具９をフックが掛けられる凹部を備える部材としてもよい。
【００２５】
図１および図２に示すように、メッシュ５は、鋼線などの線状部材を縦横に格子状に組まれた部材で、固化培土保持部４に着脱可能に保持されている。例えば、固化培土保持部４にメッシュ５側に突出する部材１９を固定し、この部材１９にメッシュ５が着脱可能に構成されている。
メッシュ５は、固化培土保持部４から固化培土３が脱落することを防止している。
【００２６】
図１（ａ）、（ｂ）に示すように、潅水チューブ６は、固化培土３の上部にその幅の略全長にわたって設けられている。潅水チューブ６には、給水用孔部が複数形成されており、固化培土３に水を供給することができるように構成されている。潅水チューブ６は、方立２２に沿って設けられた給水管１４に接続されている。潅水チューブ６と給水管１４との接続部には、給水用ジョイント１５（図１（ａ）参照）が設けられている。
排水受け７は、固化培土３の下方にその幅の略全長にわたって設けられていて、方立２２に沿って下方に延びる排水管１６（図１（ａ）参照）に接続されている。排水受け７は、例えば、固化培土保持部４の板部材１１に固定されている。排水受け７と排水管１６との接続部には排水用ジョイント１７（図１（ａ）参照）が設けられている。
給水管１４および排水管１６は、隣接する壁面緑化ユニット２の潅水チューブ６や排水受け７とも接続されている。
また、給水管１４および排水管１６は、方立２２に沿って延びる金属製や樹脂製の化粧カバー１８（図４（ｂ）参照）によって覆われている。
【００２７】
次に、上述した壁面緑化ユニット２の施工方法（壁面緑化構造の施工方法）について図面を用いて説明する。
まず、図３（ａ）に示すように、構造物２１の壁面緑化ユニット２を取り付ける位置にパネル材８を設置する。
構造物２１の方立２２および無目２３のガラス溝２２ａ，２３ａに、パネル材８を嵌め込み、シール材などの押さえ部材（不図示）で、パネル材８をガラス溝２２ａ，２３ａに固定する。
このとき、構造物２１が既設構造物で、壁面緑化ユニット２の設置位置に既設のガラスやパネルなどが設置されている場合は、このガラスやパネルなどを撤去してからパネル材８の設置を行う。
【００２８】
次に、壁面緑化ユニット２の組み立てを行う。
図１および図２に示すように、固化培土３の一方の面３ａと固化培土保持部４の板部材１１の一方の面１１ａとを当接させ、固化培土３に固化培土保持部４の突起部１２が突き刺さった状態とし、固化培土３と固化培土保持部４とを一体化させる。
そして、固化培土３の他方の面３ｂにメッシュ５を取り付け、メッシュ５を固化培土保持部４に固定する。
このとき、潅水チューブ６を固化培土３の上部に設置し、排水受け７を固化培土保持部４の板部材１１に固定する。
なお、壁面緑化ユニット２の組み立ては、パネル材８の構造物２１への取り付け前に行ってもよい。例えば、予め組み立てた壁面緑化ユニット２を設置現場に搬入することで、壁面緑化ユニット２を設置する時間を短縮することができる。
【００２９】
次に、図３（ｂ）に示すように、壁面緑化ユニット２をパネル材８に固定する。
パネル材８に固定されたパネル材側固定金具９と壁面緑化ユニット２の固化培土保持部４に固定された固化培土保持部側固定金具１３とを連結することで、壁面緑化ユニット２をパネル材８に固定する。
【００３０】
次に、図４（ａ）に示すように、方立２２に沿って給水管１４および排水管１６を設置し、壁面緑化ユニット２の潅水チューブ６を給水管１４と接続し、排水受け７を排水管１６と接続する。
なお、給水管１４および排水管１６の設置は、パネル材８を構造物２１に設置する工程や壁面緑化ユニット２をパネル材８に固定する工程の前に行ってもよい。また、潅水チューブ６や排水受け７の壁面緑化ユニット２への取り付けも、壁面緑化ユニット２をパネル材８に固定した後に行ってもよい。
次に、図４（ｂ）に示すように、方立２２に化粧カバー１８を設置し、給水管１４および排水管１６（図４（ａ）参照）を化粧カバー１８で覆う。
【００３１】
次に、潅水タイマー（不図示）や、給水に肥料を混合させる肥料混合装置（不図示）などを例えば、潅水用の給水ポンプ（不図示）の近傍に設置する。
そして、メッシュ５の間隙部から固化培土３に植物を植栽し、壁面緑化ユニット２が施工される。なお、植物は予め固化培土３に植栽しておいてもよい。
【００３２】
また、メンテナンスなどにより、壁面緑化ユニット２を取り外すときには、まず、給水用ジョイント１５を外して潅水チューブ６を給水管１４から外すと共に、排水用ジョイント１７を外して排水受け７を排水管１６から外す。
そして、パネル材８のパネル材側固定金具９と壁面緑化ユニット２の固化培土保持部４の固化培土保持部側固定金具１３との連結を解除し、壁面緑化ユニット２をパネル材８から取り外す。
【００３３】
次に、上述した本実施の形態の壁面緑化構造の効果について説明する。
本実施の形態による壁面緑化構造１では、壁面緑化ユニット２を方立２２および無目２３に形成されたガラス溝２２ａ，２３ａに嵌め込まれたパネル材８に固定する構造であることにより、壁面緑化ユニット２を固定するために、固定用のボルトを挿通させる孔を方立２２や無目２３に開けるなど方立２２や無目２３を傷つけることがないので、構造物２１の強度低下を防止できる効果を奏する。
また、方立２２や無目２３にボルト孔が形成されないので、ボルト孔から構造物２１内部に雨水などが浸入するということがない。
また、壁面緑化ユニット２のパネル材８への設置および取り外しが容易であることにより、施工性やメンテナンス性を向上させることができる。
また、既設構造物の方立２２および無目２３のガラス溝２２ａ，２２ｂにパネル材８を嵌め込み、このパネル材８に壁面緑化ユニット２を固定することができるので、新設建物だけでなく既存建物にも適用することができる。
【００３４】
以上、本発明による壁面緑化構造１の実施の形態について説明したが、本発明は上記の実施の形態に限定されるものではなく、その趣旨を逸脱しない範囲で適宜変更可能である。
例えば、上述した実施の形態では、給水管１４および排水管１６を化粧カバー１８で覆っているが、給水管１４および排水管１６を化粧カバー１８で覆わず露出させた構造としてもよい。
例えば、上述した実施の形態では、固化培土保持部４は、板部材１１と、板部材１１か突出する複数の突起部１２と、を備えた構成であるが、固化培土３を保持できれば他の構成としてもよい。例えば、固化培土保持部４を、チャンネル材を組み立てたフレームとしてもよいし、メッシュ状にしてもよい。
例えば、上述した実施の形態では、パネル材側固定金具９が、パネル材８の四隅の近傍に４箇所取り付けられているため、近接する方立２２および無目２３との間隔ｄを、５〜１５ｃｍ程としているが、パネル材側固定金具９が、パネル材８の四隅近傍以外の外縁部近傍に取り付けられている場合は、近接する方立２２および無目２３のいずれか一方との間隔ｄを、５〜１５ｃｍ程とすればよい。また、パネル材側固定金具９のパネル材８への取り付け位置は、上記以外の位置としてもよい。
【符号の説明】
【００３５】
１  壁面緑化構造
２  壁面緑化ユニット
３  固化培土（植栽基盤）
４  固化培土保持部（植栽基盤保持部）
５  メッシュ
６  潅水チューブ（潅水手段）
７  排水受け（排水手段）
８  パネル材
９  パネル材側固定金具（第１固定具）
１１  板部材
１２  突起部
１３  固化培土保持部側固定金具（第２固定具）
２１  構造物
２２  方立
２２ａ  ガラス溝
２３  無目
２３ａ  ガラス溝
ｄ  間隔
【図１】
2012005409.tif 000003
【図２】
2012005409.tif 000004
【図３】
2012005409.tif 000005
【図４】
2012005409.tif 000006